(57)【要約】    【課題】電気掃除機用吸込具において、隙間清掃に適したように姿勢が切り換わるものが望まれていた。    【解決手段】吸込具２０５は、ハウジング２１４と連結機構２１６と接続筒２１５とを有している。ハウジング２１４に対する接続筒２１５の突出方向を切り換えることによって、主吸込口２２４が被清掃面４００に対向した状態でハウジング２１４を奥行方向前後へ移動させ得る基本姿勢と、ハウジング２１４の前面が被清掃面４００に対向した状態でハウジング２１４を幅方向前後へ移動させ得る起立姿勢とに、姿勢を切り換えることができる。ハウジング２１４が起立姿勢において、ハウジングが移動するのを補助するためのコロ２２６および起毛布２４０が備えられている。【選択図】            図１０
2006325979.tif 000002
【特許請求の範囲】
【請求項１】
所定の幅、厚みおよび奥行を有するハウジングと、
ハウジングの底面に形成され、ハウジングの幅方向に長手の主吸込口と、
ハウジングの前面に形成され、主吸込口とつながった副吸込口と、
筒状部材であって、その一端はハウジングに対し、筒状部材の突出方向が変位可能に連結されていて、その他端はハウジングから突出していて、吸込用パイプまたはホースが接続可能になっている接続筒と、を備え、
ハウジングに対する接続筒の突出方向を切り換えることによって、前記主吸込口が被清掃面に対向した状態でハウジングを奥行方向前後へ移動させ得る基本姿勢と、前記副吸込口が被清掃面に対向した状態でハウジングを幅方向前後へ移動させ得る起立姿勢とに、ハウジングの姿勢を切り換えることができ、
ハウジングが起立姿勢において、ハウジングが移動するのを補助するための移動補助部材が設けられていることを特徴とする、電気掃除機用吸込具。
【請求項２】
ハウジングが起立姿勢において、前記接続筒はハウジングのほぼ厚み範囲内に収まっていることを特徴とする、請求項１記載の電気掃除機用吸込具。
【請求項３】
前記接続筒の一端側を、ハウジングの厚み方向に揺動可能に、かつ、接続筒の軸方向に回転可能に、ハウジングに連結するための連結手段を有し、
ハウジングが起立姿勢において、前記接続筒が軸方向に回動するのを規制するための規制手段が設けられていることを特徴とする、請求項２記載の電気掃除機用吸込具。
【請求項４】
前記接続筒の一端側を、ハウジングの幅方向に揺動可能に、かつ、ハウジングの厚み方向にも揺動可能に、ハウジングに連結するための連結手段を有し、
ハウジングが起立姿勢において、前記接続筒がハウジングの厚み方向に揺動するのを規制するための規制手段が設けられていることを特徴とする、請求項２記載の電気掃除機用吸込具。
【請求項５】
ハウジングには、前記副吸込口が開いた状態と閉じた状態とに切り換えるために開閉するシャッターが備えられていることを特徴とする、請求項１〜４のいずれかに記載の電気掃除機用吸込具。
【請求項６】
前記シャッターは、ハウジングが起立状態になると開くことを特徴とする、請求項５記載の電気掃除機用吸込具。
【請求項７】
前記シャッターには、通気部が形成されていることを特徴とする、請求項５または６記載の電気掃除機用吸込具。
【請求項８】
前記移動補助部材は、回転自在なコロを含むことを特徴とする、請求項１〜７のいずれかに記載の電気掃除機用吸込具。
【請求項９】
前記移動補助部材は、起毛面を含むことを特徴とする、請求項１〜８のいずれかに記載の電気掃除機用吸込具。
【請求項１０】
ハウジングには、起立姿勢において、その起立姿勢を保つための複数の脚が備えられ、複数の脚は、脚間に前記副吸込口が開口するように配置されていることを特徴とする、請求項１〜９のいずれかに記載の電気掃除機用吸込具。
【請求項１１】
前記脚は、移動補助部材を兼用していることを特徴とする、請求項１０記載の電気掃除機用吸込具。
【請求項１２】
ハウジングの厚み方向に見た前記複数の脚の配置間隔は、ハウジング厚みよりも広くなるように配置されていることを特徴とする、請求項１１記載の電気掃除機用吸込具。
【請求項１３】
ハウジングが起立姿勢において、ハウジングの幅方向両端に前記副吸込口に連なる補助吸込口が設けられていることを特徴とする、請求項１０〜１２のいずれかに記載の電気掃除機用吸込具。
【請求項１４】
前記補助吸込口は、前記脚間に位置していることを特徴とする、請求項１３記載の電気掃除機用吸込具。
【請求項１５】
前記脚の少なくとも一部は、被清掃面の塵挨を前記副吸込口へ案内し得る形状をしていることを特徴とする、請求項１０〜１４のいずれかに記載の電気掃除機用吸込具。
【請求項１６】
ハウジング内には、ハウジング幅方向に延びる回転軸を有し、前記主吸込口および副吸込口に臨む回転ブラシと、
当該回転ブラシを回転させるためのモータと、が備えられていることを特徴とする、請求項１〜１５のいずれかに記載の電気掃除機用吸込具。
【請求項１７】
ハウジングが起立姿勢において、ハウジングが基本姿勢のときと前記モータの駆動の仕方を変える制御手段が備えられていることを特徴とする、請求項１６記載の電気掃除機用吸込具。
【請求項１８】
前記制御手段は、ハウジングが起立姿勢において、ハウジングが基本姿勢のときよりも前記回転ブラシが低速回転するようにモータを制御することを特徴とする、請求項１７記載の電気掃除機用吸込具。
【請求項１９】
前記制御手段は、ハウジングが起立姿勢において、前記回転ブラシの回転が停止するように前記モータを制御することを特徴とする、請求項１７記載の電気掃除機用吸込具。
【請求項２０】
前記制御手段は、ハウジングが起立姿勢において、ハウジングが基本姿勢のときと、前記回転ブラシの回転方向が逆になるように前記モータを制御することを特徴とする、請求項１７記載の電気掃除機用吸込具。
【発明の詳細な説明】
【技術分野】
【０００１】
この発明は、電気掃除機本体に接続され、被清掃面上の塵挨を吸い込んで、電気掃除機本体側へ送るための吸込具に関する。
【背景技術】
【０００２】
電気掃除機は、一般に、電動送風機を備えた本体と、本体に後端が取り付けられ、その先端には操作部が備えられた吸込ホースと、吸込ホースの操作部に後端が接続され、その先端側には吸込具が接続される吸込パイプとを有している。ユーザは、操作部に設けられたグリップを握り、吸込具を被清掃面に沿って前後に移動させることにより、清掃を行う。
【０００３】
従来の吸込具は、前後に移動される際に効率良く被清掃面の塵挨を吸い込めるよう、吸込パイプにいわゆるＴ字状に接続される形状をしている。すなわち、吸込具は、所定の幅、厚みおよび奥行を有するハウジングを有していて、ハウジングの幅方向は厚みおよび奥行に比べて長くされている。そしてハウジングの幅方向中央に接続筒が設けられ、接続筒が吸込パイプの先端に連結される。
【０００４】
ユーザは、操作部に備えられたグリップを握り、吸込パイプの先端に連結された吸込具を、ハウジングの幅方向が吸込パイプの長さ方向に対してほぼ直交方向になる状態にし、吸込具を前後させて清掃を行う。これにより、被清掃面をハウジングの幅単位で効率良く清掃することが可能である。
ところで、被清掃面には、面積の広い床面中央部だけではなく、床面隅の壁との境界部、ベッドの下、壁と家具との隙間等もあり、かかる被清掃面に対しても、吸込具によって良好に塵挨が捕獲できなければならない。
【０００５】
そこで従来、吸込具は、吸込パイプに対して回動可能になっており、吸込パイプの先端で、吸込具がその角度や方向を変えられるようにされている。
このような構成の一例が、特開平１０−２６２８７８号公報（特許文献１）の第１９図などに示されている。
【特許文献１】特開平１０−２６２８７８号公報
【発明の開示】
【発明が解決しようとする課題】
【０００６】
特許文献１に提案されている構成では、吸込パイプの先端に取り付けられた吸込具は、ハウジングの幅方向を吸込パイプの長さ方向と平行な方向になるように、吸込具を回動させることができる。これにより、吸込具はハウジングの奥行方向以上の隙間があれば、その隙間に挿入することができ、清掃を行えるというものである。
しかしながら、特許文献１に提案されている構成では、吸込具のハウジングの奥行方向長さよりも狭い幅しかない隙間には、吸込具を挿入することはできず、清掃を行うことができない。ところが、家具と壁との隙間や、家具と家具との隙間は、吸込パイプがようやく入る程度の狭い幅しかないことが多い。そのため、従来は、吸込具を吸込パイプから外して、吸込パイプの先端等を用いて隙間清掃を行っている場合があった。
【０００７】
そこでこの発明は、上述のような狭い隙間であっても、良好に清掃できるように改良された電気掃除機用吸込具を提供することを主たる目的とする。
またこの発明は、被清掃面が広い場合であっても、狭い場合であっても、それに適した形態に切り換わる電気掃除機用吸込具を提供することを目的とする。
さらにこの発明は、隙間清掃が安定してかつ良好に行える電気掃除機用吸込具を提供することを目的とする。
【課題を解決するための手段】
【０００８】
請求項１記載の発明は、所定の幅、厚みおよび奥行を有するハウジングと、ハウジングの底面に形成され、ハウジングの幅方向に長手の主吸込口と、ハウジングの前面に形成され、主吸込口とつながった副吸込口と、筒状部材であって、その一端はハウジングに対し、筒状部材の突出方向が変位可能に連結されていて、その他端はハウジングから突出していて、吸込用パイプまたはホースが接続可能になっている接続筒と、を備え、ハウジングに対する接続筒の突出方向を切り換えることによって、前記主吸込口が被清掃面に対向した状態でハウジングを奥行方向前後へ移動させ得る基本姿勢と、前記副吸込口が被清掃面に対向した状態でハウジングを幅方向前後へ移動させ得る起立姿勢とに、ハウジングの姿勢を切り換えることができ、ハウジングが起立姿勢において、ハウジングが移動するのを補助するための移動補助部材が設けられていることを特徴とする、電気掃除機用吸込具である。
【０００９】
請求項２記載の発明は、ハウジングが起立姿勢において、前記接続筒はハウジングのほぼ厚み範囲内に収まっていることを特徴とする、請求項１記載の電気掃除機用吸込具である。
請求項３記載の発明は、前記接続筒の一端側を、ハウジングの厚み方向に揺動可能に、かつ、接続筒の軸方向に回転可能に、ハウジングに連結するための連結手段を有し、ハウジングが起立姿勢において、前記接続筒が軸方向に回動するのを規制するための規制手段が設けられていることを特徴とする、請求項２記載の電気掃除機用吸込具である。
【００１０】
請求項４記載の発明は、前記接続筒の一端側を、ハウジングの幅方向に揺動可能に、かつ、ハウジングの厚み方向にも揺動可能に、ハウジングに連結するための連結手段を有し、ハウジングが起立姿勢において、前記接続筒がハウジングの厚み方向に揺動するのを規制するための規制手段が設けられていることを特徴とする、請求項２記載の電気掃除機用吸込具である。
【００１１】
請求項５記載の発明は、ハウジングには、前記副吸込口が開いた状態と閉じた状態とに切り換えるために開閉するシャッターが備えられていることを特徴とする、請求項１〜４のいずれかに記載の電気掃除機用吸込具である。
請求項６記載の発明は、前記シャッターは、ハウジングが起立状態になると開くことを特徴とする、請求項５記載の電気掃除機用吸込具である。
【００１２】
請求項７記載の発明は、前記シャッターには、通気部が形成されていることを特徴とする、請求項５または６記載の電気掃除機用吸込具である。
請求項８記載の発明は、前記移動補助部材は、回転自在なコロを含むことを特徴とする、請求項１〜７のいずれかに記載の電気掃除機用吸込具である。
請求項９記載の発明は、前記移動補助部材は、起毛面を含むことを特徴とする、請求項１〜８のいずれかに記載の電気掃除機用吸込具である。
【００１３】
請求項１０記載の発明は、ハウジングには、起立姿勢において、その起立姿勢を保つための複数の脚が備えられ、複数の脚は、脚間に前記副吸込口が開口するように配置されていることを特徴とする、請求項１〜９のいずれかに記載の電気掃除機用吸込具である。
請求項１１記載の発明は、前記脚は、移動補助部材を兼用していることを特徴とする、請求項１０記載の電気掃除機用吸込具である。
【００１４】
請求項１２記載の発明は、ハウジングの厚み方向に見た前記複数の脚の配置間隔は、ハウジング厚みよりも広くなるように配置されていることを特徴とする、請求項１１記載の電気掃除機用吸込具である。
請求項１３記載の発明は、ハウジングが起立姿勢において、ハウジングの幅方向両端に前記副吸込口に連なる補助吸込口が設けられていることを特徴とする、請求項１０〜１２のいずれかに記載の電気掃除機用吸込具である。
【００１５】
請求項１４記載の発明は、前記補助吸込口は、前記脚間に位置していることを特徴とする、請求項１３記載の電気掃除機用吸込具である。
請求項１５記載の発明は、前記脚の少なくとも一部は、被清掃面の塵挨を前記副吸込口へ案内し得る形状をしていることを特徴とする、請求項１０〜１４のいずれかに記載の電気掃除機用吸込具である。
【００１６】
請求項１６記載の発明は、ハウジング内には、ハウジング幅方向に延びる回転軸を有し、前記主吸込口および副吸込口に臨む回転ブラシと、当該回転ブラシを回転させるためのモータと、が備えられていることを特徴とする、請求項１〜１５のいずれかに記載の電気掃除機用吸込具である。
請求項１７記載の発明は、ハウジングが起立姿勢において、ハウジングが基本姿勢のときと前記モータの駆動の仕方を変える制御手段が備えられていることを特徴とする、請求項１６記載の電気掃除機用吸込具である。
【００１７】
請求項１８記載の発明は、前記制御手段は、ハウジングが起立姿勢において、ハウジングが基本姿勢のときよりも前記回転ブラシが低速回転するようにモータを制御することを特徴とする、請求項１７記載の電気掃除機用吸込具である。
請求項１９記載の発明は、前記制御手段は、ハウジングが起立姿勢において、前記回転ブラシの回転が停止するように前記モータを制御することを特徴とする、請求項１７記載の電気掃除機用吸込具である。
【００１８】
請求項２０記載の発明は、前記制御手段は、ハウジングが起立姿勢において、ハウジングが基本姿勢のときと、前記回転ブラシの回転方向が逆になるように前記モータを制御することを特徴とする、請求項１７記載の電気掃除機用吸込具である。
【発明の効果】
【００１９】
請求項１記載の発明によれば、ハウジングに対する接続筒の突出方向を切り換えることによって、ハウジングを基本姿勢と起立姿勢とに切り換えることができる。ハウジングが起立姿勢では、ハウジングの前面側、すなわち副吸込口が被清掃面（床や絨毯等）に対向した状態でハウジングをその幅方向前後へ移動させることができる。そしてその移動は、移動補助部材によって、スムーズに行われるようにされている。
【００２０】
請求項２記載の発明では、ハウジングが起立姿勢において、接続筒はハウジングのほぼ厚み範囲内に収まっており、接続筒を押し引きすること（操作すること）によって、起立姿勢が安定したハウジングを、幅方向前後へ容易に移動させることができる。
接続筒には、電気掃除機本体側に接続された吸込ホースおよび吸込ホースの先端側に接続された吸込パイプが連結される。それゆえ、吸込パイプまたは吸込ホースに備えられた操作部をユーザが把持して、接続パイプおよび接続筒を介して吸込具のハウジングを起立姿勢にしたまま、ハウジング幅方向前後へ容易に移動させることができる。
【００２１】
請求項３記載の発明によれば、ハウジングが起立姿勢において、回動規制手段によって、接続筒はハウジングの厚み方向へは動かず、起立姿勢のハウジングに対し、ハウジングの厚み範囲内で、ハウジングから延び出ている突出方向の角度だけが変化可能な状態にすることができる。
よって、起立姿勢のハウジングにおいて、ハウジング幅方向前後へ移動させ易いように、接続筒の突出方向を保つことができる。
【００２２】
請求項４記載の発明においても、請求項３記載の発明と同様の作用効果が奏される。
請求項５記載の発明では、シャッターによって副吸込口が開閉できるので、副吸込口から塵挨を吸い込む必要がある場合にだけ、副吸込口を開いた状態とすることができる。
請求項６記載の発明では、ハウジングが起立姿勢になるとシャッターは開くので、副吸込口が被清掃面と対向した、副吸込口から塵挨を吸引すべき状態において、自動的に副吸込口を開けることができる。よって、操作性が向上する。
【００２３】
請求項７記載の発明では、シャッターに形成された通気窓を介して、シャッターが閉じている場合においても、副吸込口から塵挨を吸い込むことができる。たとえば、ハウジングが基本姿勢の場合は、主として主吸込口から塵挨が吸い込まれるが、シャッターが開いている場合は、ハウジング前面の副吸込口からも同時に塵挨を吸い込むことができる。請求項７のように、シャッターに通気部が形成されていると、シャッターが閉じられた状態では、副吸込口は閉じられた状態となるが、ハウジングの前面には、シャッターの通気部が開いているため、この通気部を介して比較的強い吸引力でハウジング前方の塵挨を吸い込むことが可能になる。このように、主吸込口から塵挨を吸い込みつつ、シャッターの通気部を介して、補助的に、ハウジング前方の塵挨も吸い込むことが可能である。
【００２４】
請求項８記載の発明では、移動補助部材が回転自在なコロであるため、起立姿勢のハウジングが被清掃面に沿ってスムーズに移動させることができる。
請求項９記載の発明でも、被清掃面がたとえばフローリングの場合、起毛面はフローリングを抵抗感少なく滑り得るので、起立姿勢のハウジングをスムーズに移動させることかできる。
【００２５】
請求項１０記載の発明では、複数の脚で支えられた起立姿勢のハウジングは、脚間に副吸込口が開口しているので、副吸込口から良好に塵挨を吸い込むことができる。
請求項１１記載の発明では、脚が移動補助部材を兼用しており、起立姿勢のハウジングの下面を簡易にかつ見栄え良く作ることができる。
請求項１２記載の発明では、起立姿勢のハウジングを安定した状態に保つことができる。
【００２６】
請求項１３記載の発明では、起立姿勢のハウジングは幅方向へ移動するが、その移動方向前方および後方に、補助吸込口が設けられており、移動するハウジングがその移動先に存在する塵挨を良好に補助吸込口から吸い込むことができる。
請求項１４記載の発明では、脚間を利用して補助吸込口を見栄え良くかつ有用に形成することができる。
【００２７】
請求項１５記載の発明では、起立姿勢のハウジングにおいて、被清掃面の塵挨は副吸込口へ案内され、スムーズに塵挨を吸引することができる。
請求項１６記載の発明では、清掃時に、モータにより回転される回転ブラシにより、吸込口への塵挨の掻き込みが行われ、清掃効率が向上する。
請求項１７記載の発明では、ハウジングが起立姿勢のときに、回転ブラシが起立姿勢に適した回転状態になるように制御することができる。すなわち、ハウジングは基本姿勢の場合は、基本姿勢に則した回転ブラシの回転の仕方があるが、その回転状態が必ずしもハウジングが起立姿勢のときに適しているわけではない。そこで、制御手段により、モータの駆動の仕方を変え、回転ブラシの回転状態をハウジングが起立姿勢に適した状態に切り換えることができる。
【００２８】
請求項１８記載の発明では、ハウジングが起立姿勢では、回転ブラシが比較的低速回転されるので、回転ブラシが塵挨を掻きあげ、起立状態で側方に開口している主吸込口から掻きあげられた塵挨が横方向へ飛ばされることがない。
請求項１９記載の発明では、ハウジングが起立状態で回転ブラシの回転が停止されるので、起立状態のハウジングの側方に開口している主吸込口から回転ブラシで掻き取られた塵挨が側方へ飛び出す等の心配は完全にない。
【００２９】
また、請求項１８，１９の発明によれば、起立姿勢において、吸込具のハウジング側面に開口している主吸込口に臨んだ回転ブラシが、基本姿勢のときのように回転していては、回転ブラシにより家具などを傷める虞れがあるが、そのような虞れをなくすることができる。
また、請求項２０記載のように、回転ブラシを、基本姿勢のときと逆方向に回転するように制御した場合、起立姿勢においてハウジングの側面に開口している主吸込口から、回転ブラシによって掻き上げられる塵挨が側方へ飛び散らず、回転ブラシの回転により塵挨がハウジング内に入るように掻き下げられ、良好な吸込が可能となる。
【００３０】
このように、起立姿勢における回転ブラシの回転制御を、起立姿勢において適した制御とすることによって、吸込具を起立姿勢にして、より良好に清掃が行えるという作用効果を奏する。
【発明を実施するための最良の形態】
【００３１】
図１は、この発明の一実施形態に係る電気掃除機２００の右側面図である。
以下、説明の便宜上、図１において左側を前方、右側を後方、手前側を左、奥側を右として説明し、電気掃除機２００の各構成部材について説明する際も、その方向に従って、前後、左右および上下を区別しながら説明する。
電気掃除機２００には、電気掃除機本体２０１、吸込ホース２０２、操作部２０３、吸込パイプ２０４および吸込具２０５が含まれている。電気掃除機本体２０１には電動送風機（図示せず）が内蔵されていて、この電動送風機により吸引力が発生する。
【００３２】
電気掃除機本体２０１の正面側には吸込ホース２０２の後端側に備えられた接続部２０５が着脱可能に連結されている。吸込ホース２０２は可撓性を有し、任意の形態に曲げることができる。吸込ホース２０２の反対側（先端側）には操作部２０３が取り付けられている。操作部２０３は、吸込ホース２０２の軸方向に延びるパイプ部２０６と、パイプ部２０６から軸方向と交差方向後方側へ延び出したグリップ２０７と、パイプ部２０６の中心軸に対して、グリップ２０７と反対側（１８０°隔たる側）に設けられたサブグリップ２０８とを具備している。また、吸込ホース２０２の先端側と操作部２０３との間には回動機構２０９が介在されていて、操作部２０３と吸込ホース２０２とは、互いに軸回りに回動自在に連結されている。
【００３３】
吸込パイプ２０４は、操作部２０３と吸込具２０５との間を連結する長手の、たとえば樹脂製のパイプである。
吸込パイプ２０４は、その長さ方向ほぼ中央部を境に、先端側（吸込具２０５が取り付けられた側）２１１が、後端側（操作部２０３が接続された側）２１２内に同軸上に収納され、長さが可変できるように構成されている。この長さの可変は、吸込パイプ２０４の中央部に備えられたロックボタン２１３を操作することにより行うことができる。
【００３４】
吸込具２０５には、ハウジング２１４と、接続筒２１５と、接続筒２１５をハウジング２１４に対して取り付けている連結機構２１６とが含まれている。
なお、吸込パイプ２０４の後端側２１２は、操作部２０３から取り外し可能であり、操作部２０３を吸込具２０５の接続筒２１５と直接連結することも可能である。
この実施形態に係る電気掃除機２００では、図２および図３に示されるように、吸込パイプ２０４をその軸回りにひねることにより、吸込具２０５の姿勢を切り換えることができることである。
【００３５】
より具体的には、吸込具２０５は、通常、図１に示す基本姿勢をとっており、この基本姿勢では、後述する主吸込口が被清掃面４００に対向した状態になっている。この状態から、吸込パイプ２０４を軸回りに約９０°ひねると、図２に示すように、吸込具２０５は被清掃面４００（図２では被清掃面４００を理解の便宜のためにフローリング面として示し、紙面方向に広がっている状態で表わしている。）に対し、基本姿勢のままであるが、９０°回転した状態となる。そしてさらに吸込パイプ２０４を軸回りにひねり、操作し易い斜め後方へ立ち上がった状態にすると、図３に示すように、吸込具２０５が起立姿勢に切り換わる。
【００３６】
吸込具２０５が起立姿勢とは、後述するように、吸込具２０５のハウジング２１４に形成されている副吸込口が被清掃面４００に対向した状態を言い、ハウジング２１４が厚み方向が水平方向になるように立ち上がり、ハウジング２１４の幅方向に吸込パイプ２０４が延び出ている状態をいう。
この状態では、吸込パイプ２０４に連結された操作部２０３では、サブグリップ２０８が上方に位置し、グリップ２０７は下方に位置する。従って、サブグリップ２０８を握って吸込具２０５を操作することになる。
【００３７】
このように、吸込具２０５が、その姿勢を、基本姿勢と起立姿勢とに切り換えることができる点が、この実施形態の特徴の１つである。
吸込パイプ２０４を軸回りにひねる場合は、グリップ２０７を握ったまま、グリップ２０７を回動させればよい。つまり、ユーザは、図１に示すように、吸込具２０５を基本姿勢にした通常の操作状態から、グリップ２０７を回せば、その操作に伴い吸込パイプ２０４が軸回りに回動する。そしてグリップ２０７をほぼ１８０°回転させ、サブグリップ２０８が上方になったときに、ユーザはサブグリップ２０８を握り直せばよい。ユーザは、サブグリップ２０８を握って、起立姿勢の吸込具２０５を操作して、隙間清掃等を行うことができる。
【００３８】
この場合において、図１で説明したように、吸込ホース２０２は回動機構２０９を介して操作部２０３とつながっているから、吸込ホース２０２を回動させる必要はなく、吸込ホース２０２はそのままの状態で、グリップ２０７をひねることができ、吸込パイプ２０４をその軸回りに回動させることができる。よって、グリップ２０７および吸込パイプ２０４の回動を容易に行える。
【００３９】
図４は、回動機構２０９の具体的な構成を示す図であり、操作部２０３部分の軸方向縦断面図である。
図４を参照して、操作部２０３には、パイプ部２０６と、パイプ部２０６から上部後方に向かって突出しているグリップ２０７と、パイプ部２０６の外周面から突出し、パイプ部２０６の軸方向にグリップ２０７と１８０°反対側に設けられているサブグリップ２０８とが含まれている。パイプ部２０６の後方には、吸込ホース２０２の先端が同心円上に、回動自在に内嵌合されている。
【００４０】
具体的には、吸込ホース２０２の先端には、円筒状の連結筒２１７が固定されており、連結筒２１７の後部には、カバー筒２１８が同心円上に外嵌されている。そして連結筒２１７の前部はパイプ部２０６に同心円上に内嵌されている。また、連結筒２１７の前方側には、一対のフランジ２１９，２２０が形成され、その間に操作部２０３に設けられた抜け止め突起２２１が嵌められることにより、連結筒２１７はパイプ部２０６に対して回動自在に、かつ抜けないように連結されている。なお、パイプ部２０６と連結筒２１７との隙間から空気が漏れるのを防止するため、シールパッキン２２２が両者の間に配置されている。
【００４１】
かかる構成により、吸込ホース２０２ならびにそれに固定された連結筒２１７およびカバー筒２１８に対して、操作部２０３は軸方向に回動自在につながっている。
次に、吸込パイプ２０４をひねることにより、基本姿勢および起立姿勢に切り換え可能な吸込具２０５の構成について詳細に説明をする。
図５は、吸込具２０５の右側面図であり、被清掃面４００上で基本姿勢になった状態が示されている。図６は、吸込具２０５を左右方向中央で切断した縦断面図である。また、図７は吸込具２０５の平面図である。
【００４２】
図５〜図７を参照して、吸込具２０５は、ハウジング２１４、接続筒２１５および連結機構２１６を含む。
ハウジング２１４は、幅Ｗと、厚みＴと、奥行Ｄとを有しており、幅Ｗ＞奥行Ｄ＞厚みＴの寸法関係になっている。
ハウジング２１４の底面２２３には、その前方寄りに、ハウジング２１４の幅方向に長手の主吸込口２２４が形成されていて、基本姿勢では、主吸込口２２４は被清掃面４００に対向しており、塵挨は主吸込口２２４から吸い込まれる。
【００４３】
ハウジング２１４には、また、その前面に開閉可能なシャッター２２５が備えられている。シャッター２２５はハウジング２１４の幅方向に延びてハウジング２１４の前面に取り付けられている。シャッター２２５には、その左右両側に、斜め方向に突出する回動自在なコロ２２６が取り付けられている。コロ２２６は、吸込具２０５が起立姿勢になったとき、吸込具２０５が移動する際の移動補助部材として機能する。
【００４４】
シャッター２２５には、さらに、ハウジング２１４の幅方向に延びる衝撃吸収バー２２７が備えられている。衝撃吸収バー２２７は弾性体で形成されており、吸込具２０５の前面が壁などにぶつかるとき、この吸収バー２２７が最初に壁にぶつかり、ぶつかったときの衝撃を緩和するものである。衝撃吸収バー２２７は、また、吸込具２０５が壁や家具にぶつかった際に、壁や家具を傷つけることのない傷つけ防止部材としても機能するものである。なお、衝撃吸収バー２２７は、シャッター２２５と一体に形成された膨出部であって、その外表面に起毛布が貼着された構成としてもよい。
【００４５】
なお、この衝撃吸収バー２２７以外にも、傷つけ防止部材が、吸込具２０５には必要に応じて配置されている。具体的には、ハウジング２１４の上面には、平面視円弧状の傷つけ防止起毛布２２８が貼着され、ハウジング２１４の左右両側面には傷つけ防止用の弾性シート２２９が設けられている。さらに連結機構２１６にも、傷つけ防止用の起毛布２３０がその外周面に貼着されている。
【００４６】
また、ハウジング２１４内には、回転ブラシ２３２が備えられている。回転ブラシ２３２は、ハウジング２１４の幅方向に延びる回転軸２３３を有しており、回転軸２３３の周面に複数種類のブラシ２３４，２３５および弾力のあるへら２３６がそれぞれ螺旋状に植立された構成である。この回転ブラシ２３２は主吸込口２４２を介して被清掃面４００に臨んでいる。
【００４７】
連結機構２１６は、ハウジング２１４と接続筒２１５とを連結しており、接続筒２１５の突出方向を、ハウジング２１４に対して変位可能にしている。
具体的には、連結機構２１６は接続筒２１５の先端２３１をハウジング２１４の厚み方向に揺動自在に保持している。また、連結機構２１６自身は、ハウジング２１４に対して回動自在に取り付けられている。回動方向は、接続筒２１５の軸回りにされている。
【００４８】
従って、ハウジング２１４に対して連結機構２１６を９０°回動し、その状態でハウジング２１４の前面を被清掃面４００に対向させることにより、吸込具２０５は図８〜１０に示すように、被清掃面４００に対して、ハウジング２１４の奥行方向が上下を向いて立ち上がった起立姿勢にすることができる。
ここに、図８は吸込具２０５を起立姿勢にしたときの背面図であり、図９は、図８の部分断面図であり、図１０は吸込具２０５を起立姿勢にしたときの右側面図である。
【００４９】
さらに、図１１は、起立姿勢の吸込具２０５の底面図である。
図９の部分断面図では、起立姿勢のハウジング２１４内における回転ブラシ２３２の状態、シャッター２２５の状態および回転ブラシ２３２を回転させるためのモータ２３７の存在が示されている。この部分断面は、ハウジング２１４の幅方向の中央断面ではなく、幅方向右寄りの部分の断面となっている。
【００５０】
図８〜図１１を参照して説明すると、吸込具２０５を起立姿勢にすると、シャッター２２５は被清掃面４００により押し上げられて開く。シャッター２２５は、吸込具２０５が基本姿勢の場合は、図示しないばねの付勢力によって下方に下がりハウジング２１４の前面を閉じた閉状態となる。ところが、吸込具２０５が起立姿勢に切り換えられる際、シャッター２２５は被清掃面４００により押し上げられて、ハウジング２１４の前面を開いた開状態になる。これにより、ハウジング２１４の前面に形成された副吸込口２３８が開き、副吸込口２３８は被清掃面４００と対向する。よって吸込具２０５は起立姿勢において、被清掃面４００と対向した副吸込口２３８から塵挨を吸い込むことができる。
【００５１】
副吸込口２３８は主吸込口２２４とつながっており、回転ブラシ２３２は副吸込口２３８および主吸込口２２４に臨んでいる。
さらに、図８を参照して、シャッター２２５が開いた起立姿勢になると、ハウジング２１４の幅方向両端であって、ハウジング２１４の前面側（図８の起立姿勢において、被清掃面４００に対向する側）に、補助吸込口２３９が現れる。補助吸込口２３９は、吸込具２０５がハウジング２１４の幅方向に移動する際、すなわち吸込具２０５が起立姿勢において前後に移動される際に、その移動方向側に開いた吸込口である。よって、吸込具２０５が移動する際、その移動方向側には補助吸込口２３９があるため、被清掃面４００上に比較的大きな塵挨があっても、その塵挨はこの補助吸込口２３９から良好にハウジング２１４内へと吸い込まれる。
【００５２】
吸込具２０５が起立姿勢では、被清掃面４００にはコロ２２６および起毛布２４０が当接している。コロ２２６は、前述したように、シャッター２２５の両端（ハウジング２１４の幅方向に見て両端）に取り付けられている。一方、起毛布２４０は、図１１に示すように、コロ２２６が配置されていない側の底面両隅に設けられている。従って、底面視において、起立姿勢の吸込具２０５は、被清掃面４００に対向する四隅が、２つのコロ２２６および２つの起毛布２４０により安定して支えられている。
【００５３】
表現を変えると、図８および図１１を参照して、起立姿勢の吸込具２０５は、被清掃面４００と対向するハウジング２１４の前面四隅に、それぞれ、コロ２２６および起毛布２４０が配置されていて、これら４点によってハウジング２１４は安定した起立姿勢になるように支えられている。そして、被清掃面４００との接点２４１の間に、副吸込口２３８が開口した状態となっている。
【００５４】
ところで、コロ２２６および起毛布２４０は、起立姿勢の吸込具２０５が被清掃面４００を移動する際、すなわち図１０において吸込具２０５が左右方向に移動する際、その移動をスムーズに行わせるための、移動補助部材として機能している。よって、図３に示す状態で、サブグリップ２０８を握り、吸込パイプ２０４を介して吸込具２０５を前後に移動させる際に、吸込具２０５は安定した起立姿勢を保ちながら、被清掃面４００上をスムーズに移動し得る。
【００５５】
また、図１０において、ハウジング２１４に対して９０°回動された連結機構２１６に対し、接続筒２１５はその先端２３１が揺動自在に保持されており、この揺動方向は、図１０においては矢印２４２で示す左上がりの斜め左右方向である。よって、接続筒２１５に接続された吸込パイプ２０４（図３参照）およびサブグリップ２０８の角度および位置を操作しやすい角度および位置にして、起立姿勢の吸込具２０５を操作することができる。
【００５６】
またその場合において、図８に示すように、起立姿勢のハウジング２１４に対して、接続筒２１５はハウジング２１４の厚み方向中心線上に軸芯が位置している。よって、起立姿勢のハウジング２１４は接続筒２１５を介して、安定した、扱い易いバランス状態に保たれている。
図１２および図１３は、吸込具２０５における、ハウジング２１４と連結機構２１６との回動可能な接続構造を説明するための図であり、ハウジング２１４を幅方向に垂直に切断した状態を正面側から見た正面側断面図である。
【００５７】
図１２は、ハウジング２１４と接続機構２１６とが図５，７に示す位置関係の断面図であり、図１３は、ハウジング２１４と連結機構２１６とが図８，１０に示す位置関係の断面図である。
図１２，１３を参照して、連結機構２１６には、その先端側に、ハウジング２１４内に配置されたフランジ２４３を備えている。フランジ２４３は、その内周縁２４４が吸込口を形成しており、その外周は、円弧状周面２４５、中心に対して１８０°隔たる位置に切り欠かれた２つのロック用凹欠面２４６およびロック用凹欠面２４６と中心に対して９０°隔たる位置に形成された２つの位置決め用平面２４７を含んでいる。
【００５８】
一方、ハウジング２１４内には、フランジ２４３に隣接して、ロック片２４８が配置されている。ロック片２４８はコイルばね２４９によって常時フランジ２４３の外周に向かって弾力付勢されている。
図１２に示すように、ロック片２４８がフランジ２４３の位置決め用平面２４７の一方と当接している場合には、連結機構２１６は、ハウジング２１４が基本姿勢のときに適した回動位置で止まるように係止されている。連結機構２１６は、位置決め用平面２４７とロック片２４８とが当接した状態で回動角度が位置決めされるが、その状態から連結機構２１６をハウジング２１４に対して回動させることは容易に行える。
【００５９】
一方、図１３に示すように、連結機構２１６をハウジング２１４が起立姿勢に適した角度まで回動させたときには、ロック用凹欠面２４６にロック片２４８が嵌まる。そしてこの状態では、ハウジング２１４と連結機構２１６とをかなり強い力でひねらなければ、両者の角度位置を変えることができなくなる。すなわち、吸込具２０５を起立姿勢にしたとき、ハウジング２１４に対して連結機構２１６は図１０に示す回動位置になっているが、この状態のとき、ハウジング２１４に対する連結機構２１６の回動位置は、図１３に示すように、ロック用凹欠面２４６とロック片２４８とが係合することにより、この角度位置にロックされている。従って、図１０に示す起立姿勢においては、連結機構２１６はハウジング２１４に対して安易に回動せず、ハウジング２１４と連結機構２１６との角度位置が固定された状態のまま、接続筒２１５だけが矢印２４２方向に回動可能である。よって、接続筒２１５、換言すれば接続筒に連結された吸込パイプ２０４の長手方向に、ハウジング２１４は起立状態で延びており、ハウジング２１４は回動しないので、ハウジング２１４を起立姿勢のままスムーズに隙間清掃に用いることができるという利点がある。
【００６０】
図１４は、吸込具２０５に備えられている移動補助部材の変形例を説明するための図であり、吸込具２０５が起立姿勢における背面図を示している。また、図１５は図１４に示す吸込具２０５の底面図である。
図１４および図１５を参照して、吸込具２０５には、ハウジング２１４が起立姿勢において、ハウジング２１４が幅方向へ移動するのを補助するための対をなすコロ（ダブルコロ）２５０が備えられている。ダブルコロ２５０は、ハウジング２１４の前面側であって、ハウジング２１４の幅方向両側に配置されている。従って、ハウジング２１４が起立姿勢になったとき、その四隅は、ダブルコロ２５０で安定して支持された状態となる。ダブルコロ２５０は、また、回動自在に取り付けられている。よって、ハウジングはスムーズに幅方向前後に移動し得る。
【００６１】
より具体的には、ダブルコロ２５０は、ハウジング２１４の前面側であって、幅方向両側に配置された支持部材２５１と、支持部材２５１に保持された、ハウジング２１４の厚み方向に延びる支軸２５２と、支軸２５２の両端に回動自在に保持された２つのコロ２５３とを有する構成である。
なおこの構成では、ダブルコロ２５０はシャッターに取り付けられてはおらず、シャッターの開閉動作は、ダブルコロ２５０の状態とは無関係になっている。
【００６２】
図１６は、吸込具２０５が起立姿勢において、ハウジング２１４の移動を補助するための移動補助部材のさらに他の構成例を説明するための図であり、起立姿勢の吸込具２０５の背面図である。また、図１７は、図１６に示す吸込具２０５の底面図である。
図１６および図１７を参照して、この実施形態に係る吸込具２０５には、移動補助部材としてのコロは設けられておらず、シャッター２２５が開いたとき、被清掃面４００に対向するシャッターの面に貼着された起毛布２５４が移動補助部材として機能する。
【００６３】
すなわち、吸込具２０５が起立姿勢において、吸込具２０５は、起毛布２５４および起毛布２４０によって被清掃面４００に接している。それゆえ、これら起毛布２５４，２４０が、吸込具２０５が被清掃面４００上を、ハウジング２１４の幅方向へ移動するのを補助する。
かかる構成は、コロ２２６やダブルコロ２５０を設ける構成に比べ、構成の簡素化を図ることができるという利点がある。
【００６４】
図１８Ａおよび図１８Ｂは、それぞれ、起立姿勢の吸込具２０５の底面図であり、被清掃面に対向するシャッター面に、被清掃面の塵挨を副吸込口へ案内するための起毛布２５５，２５６が貼り付けられた構成を示している。吸込具２０５は、図１８Ａにおいて、上下方向に移動されるので、その際に、塵挨が副吸込口２３８、特に副吸込口２３８の上方に開口している接続筒の孔２１５ａに誘導するような形状にするのが望ましい。
【００６５】
すなわち、ハウジング２１４の幅方向において、幅方向中央部で、塵挨をハウジング２１４の厚み方向中央側へ案内するガイド面２５７が設けられている。ガイド面２５７は、図１８Ａに示すように、ハウジング２１４の幅方向中央が盛り上がった直線状の山形でもよいし、図１８Ｂに示すように、湾曲した山を描くガイド面２５８であってもよい。
さらに、これらガイドは、起毛布２５５，２５６で構成せず、たとえばシャッター２５５の被清掃面４００に対向する面に、ガイド面２５７または２５８を形成する段差を形成したものであってもよい。
【００６６】
図１９は、シャッター２２５の変形例を示す図で、吸込具２０５の正面図である。図１９に示すように、シャッター２２５が閉じた状態において、シャッター２２５の下辺２５９と被清掃面４００との間に隙間２６０が形成されるように、シャッター２２５を構成してもよい。この場合、吸込具２０５が基本姿勢のとき、吸込具２０５の前面側に、シャッター２２５で塞がれていない隙間２６０が存在する。ハウジング２１４は、その底面に主吸込口２２４が形成されているのに加え、その前面には主吸込口２２４につながった副吸込口２３８が存在する。そしてシャッター２２５と被清掃面４００との間には隙間２６０があるから、この隙間２６０を介して副吸込口２３８から塵挨が吸い込まれる。
【００６７】
特に、吸込具２０５が基本姿勢で前進する際、その前方にある被清掃面４００上の塵挨を、上記隙間２６０から良好に吸い込むことができる。
図２０は、シャッター２２５のさらに他の変形例を示す図であり、吸込具２０５が基本姿勢における正面図である。
図２０の構成では、シャッター２２５は、その下辺２５９が、ハウジング２１４の幅方向に凹凸を有する辺となっている。このため、被清掃面４００とシャッター２２５の下辺２５９との間には、小さな隙間２６０および大きな隙間２６１が、幅方向に交互に形成されている。これら隙間を利用して、吸込具２０５は基本姿勢において、前方移動される際、その前方にある塵挨を良好に吸引することが可能である。
【００６８】
図２１〜図２３は、この発明の他の実施形態に係る吸込具２６５の基本姿勢の右側面図、基本姿勢の正面図および起立姿勢の正面図である。
図２１〜図２３を参照して、吸込具２６５の特徴は、ハウジング２１４の前面は前板２６６で閉塞されており、前板２６６に複数の通気窓２６７が形成されていることである。複数の通気窓２６７は、具体的にはたとえば５つ配列されていて、これら通気窓２６７は吸込具２６５の幅方向に配列されている。よって、吸込具２６５はこれら複数の通気窓２６７を介してその前方にある塵挨を吸い込むことができる。
【００６９】
また、前板２６６は、その下辺２６８がハウジング２１４の幅方向に凹凸を有する辺となっており、被清掃面４００との間に隙間２６８を生ずるようにされている。それゆえ、この隙間２６９を介しても、ハウジング２１４前方の塵挨を吸い込むことが可能である。  かかる構成にすると、吸込具２６５を起立姿勢にした状態において、通気窓２６７が被清掃面４００と対向し、被清掃面４００の塵挨を通気窓２６７を通して吸引できる。従って、この構成によれば、シャッターを設けない、より簡素な構成の吸込具２６５とすることができる。
【００７０】
なお、図２１〜図２３において、２７０はコロ、２７１は起毛布であり、これらは起立姿勢におけるハウジング２１４の移動補助部材として機能するものである。
その余の構成は、先に説明した実施形態における吸込具２０５と同様であるから、対応する部分には対応の番号を付して重複した説明は省略する。
図２４は、吸込具の他の構成を示す図であり、吸込具が基本姿勢のときの平面図である。図２４に示す吸込具２７５は、図７に示す吸込具２０５と比べて、ハウジング２１４に対して接続筒２１５を接続するための連結機構２７６の構成が異なっている。
【００７１】
図２５は図２４に示す吸込具２７５の中央を前後方向に切断した縦断面を右側から見た右側縦断面図である。
図２４および２５を参照して、連結機構２７６は、接続筒２１５を、その先端を中心にして左右方向へ回動自在に保持するとともに、連結機構２７６自体が、ハウジング２１４に対して厚み方向に回動自在に連結されている。それゆえ、ハウジング２１４が基本姿勢では、ハウジング２１４に対して連結機構２７６は上下方向に回動するので、連結機構２７６に先端が保持された接続筒２１５および接続筒の後端側に連結される吸込パイプは、ハウジング２１４に対して斜め後方へ所望の角度で延び上がるようにすることができる。また、その角度は、連結機構２７６の回動により変位するから、操作性が損なわれることはない。
【００７２】
さらに、接続筒２１５は、連結機構２７６によって、ハウジング２１４の幅方向に回動し得る。従って、ハウジング２１４は、接続筒２１５すなわち接続筒２１５の後方へ延びる吸込パイプ２０４に対して左右方向へ振れるので、操作性が損なわれることはない。
一方、図２５に示すように、接続筒２１５がハウジング２１４の後方にほぼ水平に突出した状態において、連結機構２７６がハウジング２１４に対して回動するのを規制するための規制ピン２７７が備えられている。規制ピン２７７は、コイルばね２７８によって常時上方へ弾力付勢されている。そして、連結機構２７６には、連結機構２７６の回動角度が、ハウジング２１４に対して水平方向になった際に、規制ピン２７７の先端を受け入れる凹部２７９が備えられている。
【００７３】
それゆえ、吸込具２７５において、ハウジング２１４の後方へ接続筒２１５が水平に突出した状態にし、その状態でハウジング２１４を起立姿勢とすることによって、連結機構２７６は起立姿勢のハウジング２１４に対して左右方向（ハウジングの厚み方向）へは回動せず、起立姿勢のハウジング２１４から上方に突出した位置で固定される。そしてこの固定されている連結機構２７６に対して、接続筒２１５はハウジング２１４の幅方向に回動し得るので、接続筒２１５をハウジング２１４の幅方向に傾けて、起立姿勢のハウジング２１４を幅方向前後に容易に操作させることができる。
【００７４】
つまり、この発明の吸込具は、ハウジング、連結機構および接続筒を具備しているが、連結機構、接続筒の構成は、図７等で説明した連結機構、接続筒に限定されず、図２４，２５で説明した連結機構、接続筒の構成を用いることも可能である。
図２６は図８に示す吸込具２０５を隙間清掃のために隙間に挿入した状態を示す模式図である。図２６に示すように、吸込具２０５を起立状態にすると、ハウジング２１４の厚みよりもやや広い程度の隙間に対して吸込具２０５を挿入することができ、かかる隙間の清掃を容易に行うことができる。そして、隙間に挿入された吸込具２０５のハウジング２１４や連結機構２１６には、傷つけ防止のための起毛布２２８、弾性シート２２９、起毛布２３０等が備えられているから、吸込具２０５が家具や壁にぶつかっても、家具や壁が傷つくことを防止できる。
【００７５】
なお、ここまで説明した実施形態では、起立姿勢におけるハウジング２１４は、シャッター２２５が開いた状態において、その下端部の厚みと上方部の厚みとがほぼ等しいものを例示した。しかし、図２７に示すように、吸込具２０５が起立姿勢のときに、シャッター２２５が開くことによって、ハウジング２１４の下端部と上端部とでは、下端部の方がその厚みが広いような構成としてもよい。こうすることにより、起立姿勢のハウジング２１４の安定度が増す。
【００７６】
ところで、吸込具２０５を起立姿勢にして清掃を行う場合、回転ブラシ２３２の回転を工夫するのが好ましい。
吸込具２０５を起立姿勢にしたとき、図９に示すように、起立姿勢のハウジング２１４は、その側面に主吸込口２２４が開口している。それゆえ、ハウジング２１４が基本姿勢のときと同様に、回転ブラシ２３２を回転させた場合、回転ブラシ２３２は図９において左回りに回転するから、回転ブラシ２３２によって掻き上げられる被清掃面４００上の塵挨が、主吸込口２２４から側方へ飛び出すことがある。
【００７７】
そこで、ハウジング２１４を起立姿勢にした場合、回転ブラシ２３２の回転を、基本姿勢の場合よりも低速にするのが好ましい。
また、ハウジング２１４を起立姿勢にした場合、回転ブラシ２３２の回転を停止してもよい。
あるいは、ハウジング２１４を起立姿勢にしたとき、回転ブラシ２３２の回転方向を、ハウジング２１４が基本姿勢のときと逆転させてもよい。すなわち、図９において、回転ブラシ２３２を左回りに回転させる。こうすると、回転ブラシ２３２によって掻き回される塵挨の流れが、主吸込口２２４側ではなく、ハウジング内方へ向くため、ハウジング２１４が起立姿勢であっても、塵挨が主吸込口２２４から側方へ飛び出すという虞れがない。
【００７８】
回転ブラシ２３２を上述のように逆方向に回転する場合において、回転ブラシ２３２の回転速度を低く抑えてもよい。
なお、回転ブラシ２３２を、上述のように逆回転にした場合、壁の床面付近の段差部が回転ブラシ２３２の起こす風によって掻かれ、段差面や床近くの桟に溜まっている挨を良好に掻き落とすことができるという利点もある。
【００７９】
さらに、図２８に模式的に示すように、吸込具２０５を起立姿勢にし、電気掃除機本体２０１の電動送風機を動作させない状態で、回転ブラシ２３２だけを順方向（吸込具２０５が基本姿勢のときと同じ方向）へ回転させた場合、回転ブラシ２３２が被清掃面４００上の塵挨を箒で掃きあげるように機能する。つまり、吸込具２０５を起立姿勢にし、電気掃除機本体２０１の電動送風機を動作させず、回転ブラシ２３２だけを回転させれば、電気掃除機を箒のごとく使用することができるという用途もある。
【００８０】
この発明は、以上の実施形態の内容に限定されるものではなく、請求項記載の範囲内において種々の変更が可能である。
【図面の簡単な説明】
【００８１】
【図１】この発明の一実施形態に係る電気掃除機２００の右側面図である。
【図２】電気掃除機２００における吸込具２０５の姿勢を切り換える操作を説明するための図である。
【図３】吸込具２０５が起立姿勢に切り換えられた状態の電気掃除機２００の右側面図である。
【図４】回動機構２０９の具体的な構成例を示す図であり、操作部２０３部分の軸方向縦断面図である。
【図５】吸込具２０５の右側面図であり、被清掃面４００上で基本姿勢になった状態の図である。
【図６】吸込具２０５を左右方向中央で切断した縦断面図である。
【図７】吸込具２０５の平面図である。
【図８】吸込具２０５を起立姿勢にしたときの背面図である。
【図９】図８の部分断面図である。
【図１０】吸込具２０５を起立姿勢にしたときの右側面図である。
【図１１】起立姿勢の吸込具２０５の底面図である。
【図１２】吸込具２０５における、ハウジング２１４と連結機構２１６との回動可能な接続構造を説明するための図であり、ハウジング２１４を幅方向に垂直に切断した状態を正面側から見た正面側断面図である。
【図１３】吸込具２０５における、ハウジング２１４と連結機構２１６との回動可能な接続構造を説明するための図であり、ハウジング２１４を幅方向に垂直に切断した状態を正面側から見た正面側断面図である。
【図１４】吸込具２０５に備えられている移動補助部材の変形例を説明するための図であり、吸込具２０５が起立姿勢における背面図である。
【図１５】図１４に示す吸込具２０５の底面図である。
【図１６】吸込具２０５が起立姿勢において、ハウジング２１４の移動を補助するための移動補助部材のさらに他の構成例を説明するための図であり、起立姿勢の吸込具２０５の背面図である。
【図１７】図１６に示す吸込具２０５の底面図である。
【図１８】Ａ，Ｂは、それぞれ、起立姿勢の吸込具２０５の底面図である。
【図１９】シャッター２２５の変形例を示す図で、吸込具２０５の正面図である。
【図２０】シャッター２２５のさらに他の変形例を示す図であり、吸込具２０５が基本姿勢における正面図である。
【図２１】この発明の他の実施形態に係る吸込具２６５の基本姿勢の右側面図である。
【図２２】この発明の他の実施形態に係る吸込具２６５の基本姿勢の正面図である。
【図２３】この発明の他の実施形態に係る吸込具２６５の起立姿勢の正面図である。
【図２４】この発明のさらに他の実施形態に係る吸込具２７５の基本姿勢のときの平面図である。
【図２５】図２４に示す吸込具２７５の中央を前後方向に切断した縦断面を右側から見た右側縦断面図である。
【図２６】図８に示す吸込具２０５を隙間清掃のために隙間に挿入した状態を示す模式図である。
【図２７】吸込具２０５を変形し、ハウジング２１４の下端部と上端部とを比べると、下端部の方がその厚みが広いように構成された例を示す起立状態の背面図である。
【図２８】吸込具２０５を起立姿勢にし、電気掃除機を箒のごとく使用する状態を説明するための模式図である。
【符号の説明】
【００８２】
２０５  吸込具
２１４  ハウジング
２１５  接続筒
２１６  連結機構
２２３  底面
２２４  主吸込口
２２５  シャッター
２２６  コロ
２３２  回転ブラシ
２３３  軸
２３４，２３５  ブラシ
２３６  へら
２３７  モータ
２３８  副吸込口
２３９  補助吸込口
２４０  起毛布
２５０  ダブルコロ
２５４，２５５，２５６  起毛布
２６５  吸込具
２７５  吸込具
２７６  連結機構
４００  被清掃面
【図１】
2006325979.tif 000003
【図２】
2006325979.tif 000004
【図３】
2006325979.tif 000005
【図４】
2006325979.tif 000006
【図５】
2006325979.tif 000007
【図６】
2006325979.tif 000008
【図７】
2006325979.tif 000009
【図８】
2006325979.tif 000010
【図９】
2006325979.tif 000011
【図１０】
2006325979.tif 000012
【図１１】
2006325979.tif 000013
【図１２】
2006325979.tif 000014
【図１３】
2006325979.tif 000015
【図１４】
2006325979.tif 000016
【図１５】
2006325979.tif 000017
【図１６】
2006325979.tif 000018
【図１７】
2006325979.tif 000019
【図１８】
2006325979.tif 000020
【図１９】
2006325979.tif 000021
【図２０】
2006325979.tif 000022
【図２１】
2006325979.tif 000023
【図２２】
2006325979.tif 000024
【図２３】
2006325979.tif 000025
【図２４】
2006325979.tif 000026
【図２５】
2006325979.tif 000027
【図２６】
2006325979.tif 000028
【図２７】
2006325979.tif 000029
【図２８】
2006325979.tif 000030